(57)【要約】【課題】搬送時の物品の損傷を抑えることが可能な包装台紙を提供する。【解決手段】包装台紙１０は、物品２０が載置されると共に物品２０と共にフィルム３０が巻き付けられる包装台紙であって、対向して配置され、フィルム３０が巻き付けられた状態においてフィルム３０と当接する第１の辺１１及び第２の辺１２を有し、第１の辺１１及び第２の辺１２のそれぞれには、フィルム３０の幅以上の幅の凹部１１ａ及び１２ａが形成され、フィルム３０の第１の辺１１及び第２の辺１２と当接する部分は、凹部１１ａ及び１２ａ内に収まっている。【選択図】図２
2016216109.tif 000002
【特許請求の範囲】
【請求項１】
物品が載置されると共に前記物品と共にフィルムが巻き付けられる包装台紙であって、
対向して配置され、前記フィルムが巻き付けられた状態において前記フィルムと当接する第１の辺及び第２の辺を有し、
前記第１の辺及び第２の辺のそれぞれには、前記フィルムの幅以上の幅の凹部が形成され、
前記フィルムの前記第１の辺及び第２の辺と当接する部分は、前記凹部内に収まっている
包装台紙。
【請求項２】
前記凹部の底は、平坦であり、前記フィルムの幅以上の幅である
請求項１に記載の包装台紙。
【請求項３】
前記第１の辺の凹部の幅と前記第２の辺の凹部の幅とは等しい
請求項１又は２に記載の包装台紙。
【請求項４】
前記包装台紙には、前記第１の辺及び第２の辺の凹部を挟み込む前記第１の辺及び第２の辺と交差する方向の折り目と、前記折り目で折られたとき前記包装台紙の裏面から突き出す部分を形成する切れ目とが形成されている
請求項１〜３のいずれか１項に記載の包装台紙。
【請求項５】
前記包装台紙は、略矩形状であり、
前記第１の辺及び第２の辺は、前記包装台紙の四辺のうちの一の対向する一対の辺であり、
前記折り目は、前記包装台紙の四辺のうちの他の対向する一対の辺に平行である
請求項４に記載の包装台紙。
【発明の詳細な説明】
【技術分野】
【０００１】
本発明は、物品の包装に用いる包装台紙に関し、特に物品が載置されて物品と共にフィルムが巻き付けられる包装台紙に関する。
【背景技術】
【０００２】
従来から、物品の搬送は段ボール箱等の搬送容器に物品を入れ、搬送容器を目的地に移動させることにより行われている。このような搬送においては、搬送時の振動や衝撃等により搬送容器の内容物としての物品の表面に損傷等が生じる可能性がある。
このような問題に対し、例えば特許文献１には、物品を包装台紙の上に載置し、包装台紙及び物品に合成樹脂製のフィルムを巻き付けて、物品を包装（ラッピング）する包装構造が開示されている。
【先行技術文献】
【特許文献】
【０００３】
【特許文献１】特許第３３０６４０５号公報
【発明の概要】
【発明が解決しようとする課題】
【０００４】
しかしながら、特許文献１に開示されている従来の包装構造においては、搬送時の振動や衝撃等により包装台紙に対しフィルムがずれる可能性がある。このような場合には、フィルムにより覆われなくなった物品の所定部分がフィルムによる衝撃緩和の効果を得られなくなり、物品の所定部分の表面に損傷等が生じるという問題がある。
そこで、本発明は、かかる問題点に鑑み、搬送時の物品の損傷を抑えることが可能な包装台紙を提供することを目的とする。
【課題を解決するための手段】
【０００５】
上記目的を達成するために、本発明の一態様に係る包装台紙は、物品が載置されると共に前記物品と共にフィルムが巻き付けられる包装台紙であって、対向して配置され、前記フィルムが巻き付けられた状態において前記フィルムと当接する第１の辺及び第２の辺を有し、前記第１の辺及び第２の辺のそれぞれには、前記フィルムの幅以上の幅の凹部が形成され、前記フィルムの前記第１の辺及び第２の辺と当接する部分は、前記凹部内に収まっていることを特徴とする。
【０００６】
ここで、前記凹部の底は、平坦であり、前記フィルムの幅以上の幅であってもよい。
【０００７】
また、前記第１の辺の凹部の幅と前記第２の辺の凹部の幅とは等しくてもよい。
【０００８】
また、前記包装台紙には、前記第１の辺及び第２の辺の凹部を挟み込む前記第１の辺及び第２の辺と交差する方向の折り目と、前記折り目で折られたとき前記包装台紙の裏面から突き出す部分を形成する切れ目とが形成されていてもよい。
【０００９】
また、前記包装台紙は、略矩形状であり、前記第１の辺及び第２の辺は、前記包装台紙の四辺のうちの一の対向する一対の辺であり、前記折り目は、前記包装台紙の四辺のうちの他の対向する一対の辺に平行であってもよい。
【発明の効果】
【００１０】
本発明によれば、搬送時の物品の損傷を抑えることが可能な包装台紙を実現することができる。
【図面の簡単な説明】
【００１１】
【図１】本発明の実施形態に係る包装台紙の平面図である。
【図２】本発明の実施形態に係る包装台紙を用いた物品の搬送容器への梱包方法を説明するための斜視図である。
【図３】本発明の実施形態に係る包装台紙を用いた物品の搬送容器への梱包方法を説明するための斜視図である。
【図４】本発明の実施形態に係る包装台紙を用いた物品の搬送容器への梱包方法を説明するための断面図（図２（ｂ）のＣ−Ｃ’線における断面図）である。
【図５】本発明の実施形態に係る包装台紙の変形例の平面図である。
【発明を実施するための形態】
【００１２】
以下、本発明の実施形態について、図面を用いて詳細に説明する。
【００１３】
本発明の実施形態に係る包装台紙について、図１〜図５を用いて説明する。
まず、本実施形態に係る包装台紙１０の構成について説明する。
図１は、本実施形態に係る包装台紙１０の平面図である。
包装台紙１０は、搬送容器５０に梱包された物品２０が搬送時の振動や衝撃等による物品２０の損傷を受けないようにするために設けられる台紙であって、合成樹脂シートや段ボールシート等を所定の平面形状、例えば略矩形形状に整えることにより構成される。
包装台紙１０は、４つの隅１７が切り落とされた矩形形状の平面形状を持ち、対向して上下に並行に配置された同じ長さの一対の辺つまり第１の辺１１及び第２の辺１２と、左右に並行に配置された同じ長さの一対の辺つまり第３の辺１３及び第４の辺１４とを有する。包装台紙１０としては、例えば４つの隅１７が切り落とされた６５０ｍｍ×２６０ｍｍの矩形形状で厚みが５ｍｍの台紙が用を用いることができる。
【００１４】
第１の辺１１の中央には、凹部１１ａが形成されている。凹部１１ａは、第１の辺１１に対し直交する方向の２つの平坦な側面とこれらの間に連続して設けられた第１の辺１１に対し平行な底面とから構成されている。同様に、第２の辺１２の中央には、凹部１２ａが形成されている。凹部１２ａは、第２の辺１２に対し直交する方向の２つの平坦な側面とこれらの間に連続して設けられた第２の辺１２に対し平行な平坦な底面とから構成されている。
【００１５】
ここで、物品２０が包装台紙１０の凹部１１ａ及び１２ａの両底面で挟まれる部分に載置されるとすると、凹部１１ａの高さつまり凹部１１ａの側面の幅は、物品２０と搬送容器５０の内面との隙間の最低距離を規定する。物品２０と搬送容器５０の内面との衝突の可能性を低減するためには、この最低距離は大きいことが好ましく１０ｍｍ以上、例えば１０〜２０ｍｍとされる。同様の理由から、凹部１２ａの高さつまり凹部１２ａの側面の幅は大きいことが好ましく１０ｍｍ以上、例えば１０〜２０ｍｍとされる。
【００１６】
包装台紙１０には、第１の辺１１及び第２の辺１２の双方と交差する方向、具体的には第３の辺１３及び第４の辺１４に平行な方向の第１の折り目１５及び第２の折り目１６が形成されている。第１の折り目１５及び第２の折り目１６は、凹部１１ａ及び１２ａの双方を挟み込むように左右に対向して並行に配置されている。
【００１７】
包装台紙１０には、逆コ字状の切れ目１５ａと、コ字状の切れ目１５ｃと、逆コ字状の切れ目１５ｂとが第１の折り目１５に沿って順次形成されている。切れ目１５ａ及び１５ｂは同形状の切れ目であり、その上下方向の切れ目については左右方向の切れ目と比較して隙間が大きくされている。そして、切れ目１５ｃも同様に、その上下方向の切れ目については左右方向の切れ目と比較して隙間が大きくされている。
【００１８】
同様に、包装台紙１０には、コ字状の切れ目１６ａと、逆コ字状の切れ目１６ｃと、コ字状の切れ目１６ｂとが第２の折り目１６に沿って順次形成されている。切れ目１６ａ及び１６ｂは同形状の切れ目であり、その上下方向の切れ目については左右方向の切れ目と比較して隙間が大きくされている。そして、切れ目１６ｃも同様に、その上下方向の切れ目については左右方向の切れ目と比較して隙間が大きくされている。
【００１９】
次に、本実施形態に係る包装台紙１０を用いた物品２０の搬送容器５０への梱包方法について説明する。
【００２０】
図２及び図３は、本実施形態に係る包装台紙１０を用いた物品２０の搬送容器５０への梱包方法を説明するための斜視図である。図４は、本実施形態に係る包装台紙１０を用いた物品２０の搬送容器５０への梱包方法を説明するための断面図（図２（ｂ）のＣ−Ｃ’線における断面図）である。
【００２１】
まず、図２（ａ）に示されるように、包装台紙１０の表面中央、具体的には凹部１１ａ及び１２ａの底面で挟み込まれると共に、第１の折り目１５及び第２の折り目１６で挟み込まれる中央部分に物品２０を載置する。
【００２２】
このとき、第１の折り目１５及び第２の折り目１６と平行な方向において、物品２０の幅は凹部１１ａ及び１２ａの底面間の幅より小さく、第１の辺１１及び第２の辺１２と平行な方向において、物品２０の幅は第１の折り目１５及び第２の折り目１６の間の幅より小さい。従って、包装台紙１０に載置された物品２０は、凹部１１ａ及び１２ａの底面と第１の折り目１５及び第２の折り目１６とで囲まれる中央部分に収まって配置される。
【００２３】
次に、図２（ｂ）に示されるように、物品２０と物品２０が載置された包装台紙１０とに、包装台紙１０を台紙として物品２０を包み込むようにフィルム３０を巻きつける。フィルム３０は、図４（ａ）に示されるように、包装台紙１０の裏面に一端３２を溶着等により貼り付けた状態で凹部１１ａまで延ばして凹部１１ａで包装台紙１０の裏面側から表面側に折り返し、さらに物品２０の上方に被せて凹部１１ａから凹部１２ａにフィルム３０を延ばし、凹部１２ａで包装台紙１０の表面側から裏面側に折り返し、フィルム３０の他端３１を包装台紙１０の裏面に配して溶着等により貼り付けることで巻き付けられる。フィルム３０は、帯状の樹脂フィルム等であり、例えばポリエチレン（ＬＬＤＰＥ）のフィルムを用いることができる。
【００２４】
このとき、フィルム３０の幅（図２（ｂ）のＢ）は凹部１１ａ及び１２ａの側面間の幅（図２（ｂ）のＡ）より小さいため、凹部１１ａ及び１２ａの底面に当接するフィルム３０は、凹部１１ａ及び１２ａの側面間に収まって、言い換えると凹部１１ａ及び１２ａ内に収まって配置される。
【００２５】
なお、図４（ａ）のフィルム３０の巻き付けにおいては、フィルム３０の巻き付け状態を維持するために、フィルム３０の一端３２及び他端３１を包装台紙１０に貼り付けるとしたが、図４（ｂ）に示されるように フィルム３０の一端３２及び他端３１を貼り付けてもよい。
【００２６】
次に、図２（ｃ）に示されるように、包装台紙１０を第１の折り目１５及び第２の折り目１６で折り曲げて全体を略Ｕ字状とし、物品２０の両側を包装台紙１０で挟み込む。
【００２７】
このとき、梱包された状態において、包装台紙１０における第１の折り目１５の右側の右側部分（包装台紙１０の折り曲げ前の状態で右側に位置している部分）と、第２の折り目１６の左側部分（包装台紙１０の折り曲げ前の状態で左側に位置している部分）とは、第１の折り目１５及び第２の折り目１６で挟まれる中央部分に対して立設し、物品２０の左右への移動に対して壁となる部分を形成している。
【００２８】
最後に、図３に示すように、物品２０及び包装台紙１０を搬送容器５０の開口５１から挿入して収納した後、搬送容器５０の開口５１を閉じて梱包を完了する。
【００２９】
このとき、切れ目１６ｃは凸部４２ｃとなって左側部分、言い換えると折り曲げられた包装台紙１０の左面から左側に突き出している。従って、搬送容器５０に梱包された状態において、包装台紙１０の左側部分、言い換えると物品２０と搬送容器５０の内壁との間に常に一定以上のスペースが確保される。同様に、切れ目１５ｃは凸部４１ｃとなって右側部分、言い換えると折り曲げられた包装台紙１０の右面から右側に突き出している。従って、搬送容器５０に梱包された状態において、包装台紙１０の右側部分、言い換えると物品２０と搬送容器５０の内壁との間に常に一定以上のスペースが確保される。
【００３０】
また、切れ目１６ａ及び１６ｂは切れ目１６ｃを挟んで前後方向に並んだ状態で共に中央部分、言い換えると折り曲げられた包装台紙１０の裏面（底面）から凸部４２ａ及び４２ｂとなって下側に突き出している。従って、搬送容器５０に梱包された状態において、包装台紙１０の中央部分と搬送容器５０の底面との間に常に一定以上のスペースが確保される。同様に、切れ目１５ａ及び１５ｂは切れ目１５ｃを挟んで前後方向に並んだ状態で共に中央部分、言い換えると折り曲げられた包装台紙１０の裏面から凸部４１ａ及び４１ｂとなって下側に突き出している。従って、搬送容器５０に梱包された状態において、包装台紙１０の中央部分と搬送容器５０の底面との間に常に一定以上のスペースが確保される。
【００３１】
以上のように本実施形態の包装台紙１０は、物品２０が載置されると共に物品２０と共にフィルム３０が巻き付けられる包装台紙であって、対向して配置され、フィルム３０が巻き付けられた状態においてフィルム３０と当接する第１の辺１１及び第２の辺１２を有する。そして、第１の辺１１及び第２の辺１２のそれぞれには、フィルム３０の幅以上の幅の凹部１１ａ及び１２ａが形成され、フィルム３０の第１の辺１１及び第２の辺１２と当接する部分は、凹部１１ａ及び１２ａ内に収まっている。
【００３２】
ここで、本実施形態の包装台紙１０では、凹部１１ａ及び１２ａの底は、平坦であり、フィルム３０の幅以上の幅である。
【００３３】
また、本実施形態の包装台紙１０では、第１の辺１１の凹部１１ａの幅と第２の辺１２の凹部１２ａの幅とは等しい。
【００３４】
この構成により、第１の辺１１及び第２の辺１２と当接する部分のフィルム３０の移動は凹部１１ａ及び１２ａの側面で止められるため、搬送時の振動や衝撃等により包装台紙に対しフィルム３０がずれる可能性を低減することができる。その結果、搬送時に物品をフィルム３０で覆い、搬送時の物品の損傷を抑えることができる。
【００３５】
また、本実施形態の包装台紙１０では、包装台紙１０には、第１の辺１１及び第２の辺１２の凹部１１ａ及び１２ａを挟み込む第１の辺１１及び第２の辺１２と交差する方向の第１の折り目１５及び第２の折り目１６と、第１の折り目１５及び第２の折り目１６で折られたとき包装台紙１０の裏面から突き出す部分を形成する切れ目１５ｃ及び１６ｃが形成されている。
【００３６】
ここで、本実施形態の包装台紙１０では、包装台紙１０は、略矩形状であり、第１の辺１１及び第２の辺１２は、包装台紙１０の四辺のうちの一の対向する一対の辺であり、第１の折り目１５及び第２の折り目１６は、包装台紙１０の四辺のうちの他の対向する一対の辺に平行である。
【００３７】
この構成により、包装台紙１０を折り曲げたときに裏面から突き出す部分を形成することができ、搬送容器５０に梱包された状態において、包装台紙１０と搬送容器５０の底面との間に一定以上のスペースを形成することができる。その結果、搬送時の振動や衝撃等により物品が損傷を受ける可能性をより低減することができる。
【００３８】
以上、本発明の包装台紙について、実施形態に基づいて説明したが、本発明は、これらの実施形態に限定されるものではない。本発明の要旨を逸脱しない範囲内で当業者が思いつく各種変形を施したものも本発明の範囲内に含まれる。
【００３９】
例えば、本実施形態の包装台紙では、第１の折り目１５に沿って切れ目１５ａ、１５ｂ及び１５ｃが形成され、第２の折り目１６に沿って切れ目１６ａ、１６ｂ及び１６ｃが形成されるとしたが、図５（ａ）に示されるように、切れ目は形成されなくてもよい。
【００４０】
また、本実施形態の包装台紙では、凹部１１ａ及び１２ａの左側の側面の位置と第２の折り目１６とが一致し、凹部１１ａ及び１２ａの右側の側面の位置と第１の折り目１５とが一致するとした。しかし、図５（ｂ）に示されるように、第２の折り目１６は凹部１１ａ及び１２ａの左側の側面より更に外側（左側）に位置し、第１の折り目１５は凹部１１ａ及び１２ａの右側の側面より更に外側（右側）に位置してもよい。
【産業上の利用可能性】
【００４１】
本発明は、物品の搬送時に物品と共にフィルムで巻かれる包装台紙等において広く利用することができる。
【符号の説明】
【００４２】
１０    包装台紙
１１    第１の辺
１１ａ、１２ａ    凹部
１２    第２の辺
１３    第３の辺
１４    第４の辺
１５    第１の折り目
１５ａ、１５ｂ、１５ｃ、１６ａ、１６ｂ、１６ｃ    切れ目
１６    第２の折り目
１７    隅
２０    物品
３０    フィルム
３１    他端
３２    一端
４１ａ、４１ｂ、４１ｃ、４２ａ、４２ｂ、４２ｃ    凸部
５０    搬送容器
５１    開口
【図１】
2016216109.tif 000003
【図２】
2016216109.tif 000004
【図３】
2016216109.tif 000005
【図４】
2016216109.tif 000006
【図５】
2016216109.tif 000007